(57)【要約】【課題】利用者にとって好ましい態様で車両に搭載された機器の制御が実現されるエージェント装置、エージェント装置の制御方法、およびプログラムを提供すること。【解決手段】エージェント装置（１００）は、車両（Ｍ）の乗員の発話に応じて、音声による応答を含むサービスを提供するエージェント機能部（１５０）と、前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させる制御部（１２２）とを備える。【選択図】図２
2020157854.tif 000002
【特許請求の範囲】
【請求項１】
車両の乗員の発話に応じて、音声による応答を含むサービスを提供するエージェント機能部と、
前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させる制御部と、
を備えるエージェント装置。
【請求項２】
前記運転者と前記エージェント機能部とが会話を行っているか否かを認識する会話状態認識部を更に備える、
請求項１に記載のエージェント装置。
【請求項３】
前記エージェント機能部と会話をしている乗員が、運転者であるか否かを認識する会話状態認識部を更に備える、
請求項１または２に記載のエージェント装置。
【請求項４】
前記運転者と前記エージェント機能部とが会話を行っているか否かの会話認識をサーバ装置に依頼し、前記サーバ装置により送信された会話認識の結果に基づいて、前記運転者と前記エージェント機能部とが会話を行っているか否かの認識を行う会話状態認識部を更に備える、
請求項１から３のうちいずれか１項に記載のエージェント装置。
【請求項５】
前記エージェント機能部と会話をしている乗員が、運転者であるか否かの乗員認識をサーバ装置に依頼し、前記サーバ装置により送信された乗員認識の結果に基づいて、前記乗員が運転者であるか否かの認識を行う会話状態認識部を更に備える、
請求項１から４のうちいずれか１項に記載のエージェント装置。
【請求項６】
前記音響環境を変化させる前記特定機器を作動させる操作とは、車室内の音響環境を前記エージェント機能部に対して音が伝わりにくくなる環境にする操作である、
請求項１から５のうちいずれか１項に記載のエージェント装置。
【請求項７】
前記制御部は、前記同乗者と前記エージェント機能部とが会話をしている場合において、前記音響環境を変化させる特定機器を作動させる操作を前記運転者が行った場合には、前記会話の終了に関係なく前記特定機器を作動させる、
請求項１から６のうちいずれか１項に記載のエージェント装置。
【請求項８】
前記特定機器は、空調装置、パワーウインドウ、またはオーディオのうち一以上の機器を含む、
請求項１から７のうちいずれか１項に記載のエージェント装置。
【請求項９】
前記操作は、音声入力による操作、または所定のスイッチに対する操作である、
請求項１から８のうちいずれか１項に記載のエージェント装置。
【請求項１０】
前記制御部は、前記運転者と前記エージェント機能部とが会話をしている場合において、パワーウインドウを開状態または全開状態に近づける操作を前記同乗者が行った場合には、前記会話の終了後に前記パワーウインドウが開状態または全開状態に近づくように前記パワーウインドウを作動させる、
請求項１から９のうちいずれか１項に記載のエージェント装置。
【請求項１１】
前記制御部は、前記同乗者と前記エージェント機能部とが会話をしている場合において、パワーウインドウを開状態または全開状態に近づける操作を前記運転者が行った場合には、前記会話の終了に関係なく前記パワーウインドウが開状態または全開状態に近づくように前記パワーウインドウを作動させる、
請求項１から１０のうちいずれか１項に記載のエージェント装置。
【請求項１２】
前記制御部は、前記運転者と前記エージェント機能部とが会話をしている場合において、空調装置を稼働させる、または前記空調装置の出力度合を上昇させる操作を前記同乗者が行った場合には、前記会話の終了後に前記空調装置を稼働または前記出力度合を上昇させる、
請求項１から１１のうちいずれか１項に記載のエージェント装置。
【請求項１３】
前記制御部は、前記同乗者と前記エージェント機能部とが会話をしている場合において、空調装置を稼働させる、または前記空調装置の出力度合を上昇させる操作を前記運転者が行った場合には、前記会話の終了に関係なく前記空調装置を稼働または前記出力度合を上昇させる、
請求項１から１２のうちいずれか１項に記載のエージェント装置。
【請求項１４】
前記制御部は、前記運転者と前記エージェント機能部とが会話をしている場合において、オーディオを稼働させる、またはオーディオにより出力される音を上昇させる操作を前記同乗者が行った場合には、前記会話の終了後に、前記操作に応じて前記オーディオを作動させる、
請求項１から１３のうちいずれか１項に記載のエージェント装置。
【請求項１５】
前記制御部は、前記同乗者と前記エージェント機能部とが会話をしている場合において、オーディオを稼働させる、または前記オーディオにより出力される音を上昇させる操作を前記運転者が行った場合には、前記会話の終了に関係なく前記操作に応じて前記オーディオを作動させる、
請求項１から１４のうちいずれか１項に記載のエージェント装置。
【請求項１６】
コンピュータが、
車両の乗員の発話に応じて、音声による応答を含むサービスを提供するエージェント機能部に、前記サービスを提供させ、
前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させる、
エージェント装置の制御方法。
【請求項１７】
コンピュータに、
車両の乗員の発話に応じて、音声による応答を含むサービスを提供するエージェント機能部を用いて前記サービスを提供させ、
前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させる、
プログラム。
【発明の詳細な説明】
【技術分野】
【０００１】
本発明は、エージェント装置、エージェント装置の制御方法、およびプログラムに関する。
【背景技術】
【０００２】
従来、車両の乗員と対話を行いながら、乗員の要求に応じた運転支援に関する情報や車両の制御、その他のアプリケーション等を提供するエージェント機能に関する技術が開示されている（例えば、特許文献１参照）。
【先行技術文献】
【特許文献】
【０００３】
【特許文献１】特開２００６−３３５２３１号公報
【発明の概要】
【発明が解決しようとする課題】
【０００４】
近年では、エージェント機能を車両に搭載することについて実用化が進められているが、エージェント機能におけるサービスの提供と車両に搭載された機器の制御について十分に検討されていなかった。このため、従来の技術では、乗員にとって好ましくない態様で車両に搭載された機器の制御が行われる場合があった。
【０００５】
本発明は、このような事情を考慮してなされたものであり、利用者にとって好ましい態様で車両に搭載された機器の制御が実現できるエージェント装置、エージェント装置の制御方法、およびプログラムを提供することを目的の一つとする。
【課題を解決するための手段】
【０００６】
この発明に係るエージェント装置、エージェント装置の制御方法、およびプログラムは、以下の構成を採用した。
（１）：この発明の一態様に係るエージェント装置は、車両の乗員の発話に応じて、音声による応答を含むサービスを提供するエージェント機能部と、前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させる制御部とを備えるエージェント装置である。
【０００７】
（２）：上記（１）の態様において、前記運転者と前記エージェント機能部とが会話を行っているか否かを認識する会話状態認識部を更に備えるものである。
【０００８】
（３）：上記（１）または（２）の態様において、前記エージェント機能部と会話をしている乗員が、運転者であるか否かを認識する会話状態認識部を更に備えるものである。
【０００９】
（４）：上記（１）から（３）のいずれかの態様において、前記運転者と前記エージェント機能部とが会話を行っているか否かの会話認識をサーバ装置に依頼し、前記サーバ装置により送信された会話認識の結果に基づいて、前記運転者と前記エージェント機能部とが会話を行っているか否かの認識を行う会話状態認識部を更に備えるものである。
【００１０】
（５）：上記（２）から（４）のいずれかの態様において、前記エージェント機能部と会話をしている乗員が、運転者であるか否かの乗員認識をサーバ装置に依頼し、前記サーバ装置により送信された乗員認識の結果に基づいて、前記乗員が運転者であるか否かの認識を行う会話状態認識部を更に備えるものである。
【００１１】
（６）：上記（２）から（４）のいずれかの態様において、前記音響環境を変化させる前記特定機器を作動させる操作とは、車室内の音響環境を前記エージェント機能部に対して音が伝わりにくくなる環境にする操作であるものである。
【００１２】
（７）：上記（１）から（６）のいずれかの態様において、前記制御部は、前記同乗者と前記エージェント機能部とが会話をしている場合において、前記音響環境を変化させる特定機器を作動させる操作を前記運転者が行った場合には、前記会話の終了に関係なく前記特定機器を作動させるものである。
【００１３】
（８）：上記（１）から（７）のいずれかの態様において、前記特定機器は、空調装置、パワーウインドウ、またはオーディオのうち一以上の機器を含むものである。
【００１４】
（９）：上記（１）から（８）のいずれかの態様において、前記操作は、音声入力による操作、または所定のスイッチに対する操作であるものである。
【００１５】
（１０）：上記（１）から（９）のいずれかの態様において、前記制御部は、前記運転者と前記エージェント機能部とが会話をしている場合において、パワーウインドウを開状態または全開状態に近づける操作を前記同乗者が行った場合には、前記会話の終了後に前記パワーウインドウが開状態または全開状態に近づくように前記パワーウインドウを作動させるものである。
【００１６】
（１１）：上記（１）から（１０）のいずれかの態様において、前記制御部は、前記同乗者と前記エージェント機能部とが会話をしている場合において、パワーウインドウを開状態または全開状態に近づける操作を前記運転者が行った場合には、前記会話の終了に関係なく前記パワーウインドウが開状態または全開状態に近づくように前記パワーウインドウを作動させるものである。
【００１７】
（１２）：上記（１）から（１１）のいずれかの態様において、前記制御部は、前記運転者と前記エージェント機能部とが会話をしている場合において、空調装置を稼働させる、または前記空調装置の出力度合を上昇させる操作を前記同乗者が行った場合には、前記会話の終了後に前記空調装置を稼働または前記出力度合を上昇させるものである。
【００１８】
（１３）：上記（１）から（１２）のいずれかの態様において、前記制御部は、前記同乗者と前記エージェント機能部とが会話をしている場合において、空調装置を稼働させる、または前記空調装置の出力度合を上昇させる操作を前記運転者が行った場合には、前記会話の終了に関係なく前記空調装置を稼働または前記出力度合を上昇させるものである。
【００１９】
（１４）：上記（１）から（１３）のいずれかの態様において、前記制御部は、前記運転者と前記エージェント機能部とが会話をしている場合において、オーディオを稼働させる、またはオーディオにより出力される音を上昇させる操作を前記同乗者が行った場合には、前記会話の終了後に、前記操作に応じて前記オーディオを作動させるものである。
【００２０】
（１５）：上記（１）から（１４）のいずれかの態様において、前記制御部は、前記同乗者と前記エージェント機能部とが会話をしている場合において、オーディオを稼働させる、または前記オーディオにより出力される音を上昇させる操作を前記運転者が行った場合には、前記会話の終了に関係なく前記操作に応じて前記オーディオを作動させるものである。
【００２１】
（１６）：この発明の一態様に係るエージェント装置の制御方法は、コンピュータが、車両の乗員の発話に応じて、音声による応答を含むサービスを提供するエージェント機能部に、前記サービスを提供させ、前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させるエージェント装置の制御方法である。
【００２２】
（１７）：この発明の一態様に係るプログラムは、コンピュータに、車両の乗員の発話に応じて、音声による応答を含むサービスを提供するエージェント機能部を用いて前記サービスを提供させ、前記車両の乗員のうち運転者と前記エージェント機能部とが会話をしている場合において、車室内の音響環境を変化させる特定機器を作動させる操作を前記運転者とは異なる同乗者が行った場合には、前記会話の終了後に前記特定機器を作動させるプログラムである。
【発明の効果】
【００２３】
（１）−（１７）によれば、制御部が、会話の終了後に特定機器を作動させることにより、利用者にとって好ましい態様で車両に搭載された機器の制御が実現できる。
【図面の簡単な説明】
【００２４】
【図１】エージェント装置１００を含むエージェントシステム１の構成図である。
【図２】第１実施形態に係るエージェント装置１００の構成と、車両Ｍに搭載された機器とを示す図である。
【図３】表示・操作装置２０の配置例を示す図である。
【図４】スピーカユニット３０の配置例を示す図である。
【図５】エージェントサーバ２００の構成と、エージェント装置１００の構成の一部とを示す図である。
【図６】エージェント装置１００により実行される処理の流れの一例を示すフローチャートである。
【図７】運転者によって行われる特定操作と、パワーウインドウの作動のタイミングとの一例を示す図である。
【図８】同乗者によって行われる特定操作と、パワーウインドウの作動のタイミングとの一例を示す図である。
【図９】運転者によって行われる特定操作と、空調装置の作動（起動）のタイミングとの一例を示す図である。
【図１０】同乗者によって行われる特定操作と、空調装置の作動のタイミングの一例を示す図である。
【図１１】運転者によって行われる特定操作と、空調装置の作動のタイミング（出力度合を上昇させるタイミング）との一例を示す図である。
【図１２】同乗者によって行われる特定操作と、空調装置の作動のタイミング（出力度合を上昇させるタイミング）との一例を示す図である。
【図１３】運転者によって行われる特定操作と、オーディオの作動のタイミングとの一例を示す図である。
【図１４】同乗者によって行われる特定操作と、オーディオの作動のタイミングとの一例を示す図である。
【図１５】運転者によって行われる特定操作と、オーディオの作動のタイミング（出力度合を上昇させるタイミング）との一例を示す図である。
【図１６】同乗者によって行われる特定操作と、オーディオの作動のタイミング（出力度合を上昇させるタイミング）との一例を示す図である。
【図１７】運転者によって行われる特定操作と、オーディオの作動のタイミング（出力度合を上昇させるタイミング）との一例を示す図である。
【図１８】第１実施形態の変形例の車両Ｍ１の構成の一例を示す図である。
【図１９】エージェント装置１００とエージェントサーバ２００とにより実行される処理の一例を示すフローチャートである。
【発明を実施するための形態】
【００２５】
以下、図面を参照し、本発明のエージェント装置、エージェント装置の制御方法、およびプログラムの実施形態について説明する。
【００２６】
＜第１実施形態＞
【００２７】
エージェント装置は、エージェントシステムの一部または全部を実現する装置である。以下では、エージェント装置の一例として、車両（以下、車両Ｍ）に搭載され、複数種類のエージェント機能を備えたエージェント装置について説明する。エージェント機能とは、例えば、車両Ｍの乗員と対話をしながら、乗員の発話の中に含まれる要求（コマンド）に基づく各種の情報提供を行ったり、ネットワークサービスを仲介したりする機能である。また、エージェント機能の中には、車両内の機器（例えば運転制御や車体制御に関わる機器）の制御等を行う機能を有するものがあってよい。
【００２８】
エージェント機能は、例えば、乗員の音声を認識する音声認識機能（音声をテキスト化する機能）に加え、自然言語処理機能（テキストの構造や意味を理解する機能）、対話管理機能、ネットワークを介して他装置を検索し、或いは自装置が保有する所定のデータベースを検索するネットワーク検索機能等を統合的に利用して実現される。これらの機能の一部または全部は、ＡＩ（Artificial Intelligence）技術によって実現されてよい。また、これらの機能を行うための構成の一部（特に、音声認識機能や自然言語処理解釈機能）は、車両Ｍの車載通信装置または車両Ｍに持ち込まれた汎用通信装置と通信可能なエージェントサーバ（外部装置）に搭載されてもよい。以下の説明では、構成の一部がエージェントサーバに搭載されており、エージェント装置とエージェントサーバが協働してエージェントシステムを実現することを前提とする。また、エージェント装置とエージェントサーバが協働して仮想的に出現させるサービス提供主体（サービス・エンティティ）をエージェントと称する。
【００２９】
＜全体構成＞
図１は、エージェント装置１００を含むエージェントシステム１の構成図である。エージェントシステム１は、例えば、エージェント装置１００と、複数のエージェントサーバ２００−１、２００−２、２００−３、…とを備える。符号の末尾のハイフン以下の数字は、エージェントを区別するための識別子であるものとする。いずれのエージェントサーバであるかを区別しない場合、単にエージェントサーバ２００と称する場合がある。図１では３つのエージェントサーバ２００を示しているが、エージェントサーバ２００の数は２つであってもよいし、４つ以上であってもよい。それぞれのエージェントサーバ２００は、互いに異なるエージェントシステムの提供者が運営するものである。従って、本発明におけるエージェントは、互いに異なる提供者により実現されるエージェントである。提供者としては、例えば、自動車メーカー、ネットワークサービス事業者、電子商取引事業者、携帯端末の販売者などが挙げられ、任意の主体（法人、団体、個人等）がエージェントシステムの提供者となり得る。
【００３０】
エージェント装置１００は、ネットワークＮＷを介してエージェントサーバ２００と通信する。ネットワークＮＷは、例えば、インターネット、セルラー網、Ｗｉ−Ｆｉ網、ＷＡＮ（Wide Area Network）、ＬＡＮ（Local Area Network）、公衆回線、電話回線、無線基地局などのうち一部または全部を含む。ネットワークＮＷには、各種ウェブサーバ３００が接続されており、エージェントサーバ２００またはエージェント装置１００は、ネットワークＮＷを介して各種ウェブサーバ３００からウェブページを取得することができる。
【００３１】
エージェント装置１００は、車両Ｍの乗員と対話を行い、乗員からの音声をエージェントサーバ２００に送信し、エージェントサーバ２００から得られた回答を、音声出力や画像表示の形で乗員に提示する。
【００３２】
＜第１実施形態＞
［車両］
図２は、第１実施形態に係るエージェント装置１００の構成と、車両Ｍに搭載された機器とを示す図である。車両Ｍには、例えば、一以上のマイク１０と、表示・操作装置２０と、スピーカユニット３０と、ナビゲーション装置４０と、車両機器５０と、車載通信装置６０と、乗員認識装置８０と、エージェント装置１００とが搭載される。また、スマートフォンなどの汎用通信装置７０が車室内に持ち込まれ、通信装置として使用される場合がある。これらの装置は、ＣＡＮ（Controller Area Network）通信線等の多重通信線やシリアル通信線、無線通信網等によって互いに接続される。なお、図２に示す構成はあくまで一例であり、構成の一部が省略されてもよいし、更に別の構成が追加されてもよい。
【００３３】
マイク１０は、車室内で発せられた音声を収集する収音部である。表示・操作装置２０は、画像を表示すると共に、入力操作を受付可能な装置（或いは装置群）である。表示・操作装置２０は、例えば、タッチパネルとして構成されたディスプレイ装置を含む。表示・操作装置２０は、更に、ＨＵＤ（Head Up Display）や機械式の入力装置を含んでもよい。スピーカユニット３０は、例えば、車室内の互いに異なる位置に配設された複数のスピーカ（音出力部）を含む。表示・操作装置２０は、エージェント装置１００とナビゲーション装置４０とで共用されてもよい。これらの詳細については後述する。
【００３４】
ナビゲーション装置４０は、ナビＨＭＩ（Human machine Interface）と、ＧＰＳ（Global Positioning System）などの位置測位装置と、地図情報を記憶した記憶装置と、経路探索などを行う制御装置（ナビゲーションコントローラ）とを備える。マイク１０、表示・操作装置２０、およびスピーカユニット３０のうち一部または全部がナビＨＭＩとして用いられてもよい。ナビゲーション装置４０は、位置測位装置によって特定された車両Ｍの位置から、乗員によって入力された目的地まで移動するための経路（ナビ経路）を探索し、経路に沿って車両Ｍが走行できるように、ナビＨＭＩを用いて案内情報を出力する。経路探索機能は、ネットワークＮＷを介してアクセス可能なナビゲーションサーバにあってもよい。この場合、ナビゲーション装置４０は、ナビゲーションサーバから経路を取得して案内情報を出力する。なお、エージェント装置１００は、ナビゲーションコントローラを基盤として構築されてもよく、その場合、ナビゲーションコントローラとエージェント装置１００は、ハードウェア上は一体に構成される。
【００３５】
車両機器５０は、例えば、パワーウインドウ５１、空調装置５２、オーディオ５３、スイッチ１、スイッチ２、およびスイッチ３を含む。以下、スイッチ１〜スイッチ３を区別しない場合は、「スイッチ」と称する場合がある。スイッチ１は、パワーウインドウを操作するためのスイッチである。スイッチ２は、空調装置５２を操作するためのスイッチである。スイッチ３は、オーディオ５３を操作するためのスイッチである。
【００３６】
パワーウインドウ５１は、乗員の指示を含む発話またはスイッチ１に対して行われた操作に基づいて、車両のウインドウを開放したり、閉止したりする。空調装置５２は、乗員の指示を含む発話またはスイッチ２に対して行われた操作に基づいて、起動したり、車室内の温度や湿度を制御したりする。オーディオ５３は、乗員の指示を含む発話またはスイッチ３に対して行われた操作に基づいて、オーディオを起動させたり、オーディオを車両のウインドウを開放したり、閉止したりする。また、車両機器５０は、例えば、エンジンや走行用モータなどの駆動力出力装置、エンジンの始動モータ、ドアロック装置、ドア開閉装置などを含む。
【００３７】
車載通信装置６０は、例えば、セルラー網やＷｉ−Ｆｉ網を利用してネットワークＮＷにアクセス可能な無線通信装置である。
【００３８】
乗員認識装置８０は、例えば、着座センサ、車室内カメラ、画像認識装置などを含む。着座センサは座席の下部に設けられた圧力センサ、シートベルトに取り付けられた張力センサなどを含む。車室内カメラは、車室内に設けられたＣＣＤ（Charge Coupled Device）カメラやＣＭＯＳ（Complementary Metal Oxide Semiconductor）カメラである。画像認識装置は、車室内カメラの画像を解析し、座席ごとの乗員の有無、顔向きなどを認識する。
【００３９】
図３は、表示・操作装置２０の配置例を示す図である。表示・操作装置２０は、例えば、第１ディスプレイ２２と、第２ディスプレイ２４と、操作スイッチＡＳＳＹ２６とを含む。表示・操作装置２０は、更に、ＨＵＤ２８を含んでもよい。
【００４０】
車両Ｍには、例えば、ステアリングホイールＳＷが設けられた運転席ＤＳと、運転席ＤＳに対して車幅方向（図中Ｙ方向）に設けられた助手席ＡＳとが存在する。第１ディスプレイ２２は、インストルメントパネルにおける運転席ＤＳと助手席ＡＳとの中間辺りから、助手席ＡＳの左端部に対向する位置まで延在する横長形状のディスプレイ装置である。第２ディスプレイ２４は、運転席ＤＳと助手席ＡＳとの車幅方向に関する中間あたり、且つ第１ディスプレイ２２の下方に設置されている。例えば、第１ディスプレイ２２と第２ディスプレイ２４は、共にタッチパネルとして構成され、表示部としてＬＣＤ（Liquid Crystal Display）や有機ＥＬ（Electroluminescence）、プラズマディスプレイなどを備えるものである。操作スイッチＡＳＳＹ２６は、ダイヤルスイッチやボタン式スイッチなどが集積されたものである。表示・操作装置２０は、乗員によってなされた操作の内容をエージェント装置１００に出力する。第１ディスプレイ２２または第２ディスプレイ２４が表示する内容は、エージェント装置１００によって決定されてよい。
【００４１】
図４は、スピーカユニット３０の配置例を示す図である。スピーカユニット３０は、例えば、スピーカ３０Ａ〜３０Ｈを含む。スピーカ３０Ａは、運転席ＤＳ側の窓柱（いわゆるＡピラー）に設置されている。スピーカ３０Ｂは、運転席ＤＳに近いドアの下部に設置されている。スピーカ３０Ｃは、助手席ＡＳ側の窓柱に設置されている。スピーカ３０Ｄは、助手席ＡＳに近いドアの下部に設置されている。スピーカ３０Ｅは、右側後部座席ＢＳ１側に近いドアの下部に設置されている。スピーカ３０Ｆは、左側後部座席ＢＳ２側に近いドアの下部に設置されている。スピーカ３０Ｇは、第２ディスプレイ２４の近傍に設置されている。スピーカ３０Ｈは、車室の天井（ルーフ）に設置されている。
【００４２】
係る配置において、例えば、専らスピーカ３０Ａおよび３０Ｂに音を出力させた場合、音像は運転席ＤＳ付近に定位することになる。また、専らスピーカ３０Ｃおよび３０Ｄに音を出力させた場合、音像は助手席ＡＳ付近に定位することになる。また、専らスピーカ３０Ｅに音を出力させた場合、音像は右側後部座席ＢＳ１付近に定位することになる。また、専らスピーカ３０Ｆに音を出力させた場合、音像は左側後部座席ＢＳ２付近に定位することになる。また、専らスピーカ３０Ｇに音を出力させた場合、音像は車室の前方付近に定位することになり、専らスピーカ３０Ｈに音を出力させた場合、音像は車室の上方付近に定位することになる。これに限らず、スピーカユニット３０は、ミキサーやアンプを用いて各スピーカの出力する音の配分を調整することで、車室内の任意の位置に音像を定位させることができる。
【００４３】
［エージェント装置］
図２に戻り、エージェント装置１００は、管理部１１０と、エージェント機能部１５０−１、１５０−２、１５０−３と、ペアリングアプリ実行部１５６とを備える。管理部１１０は、例えば、音響処理部１１２と、エージェントごとＷＵ（Wake Up）判定部１１４と、表示制御部１１６と、音声制御部１１８と、会話状態認識部１２０と、制御部１２２とを備える。いずれのエージェント機能部であるかを区別しない場合、単にエージェント機能部１５０と称する。３つのエージェント機能部１５０を示しているのは、図１におけるエージェントサーバ２００の数に対応させた一例に過ぎず、エージェント機能部１５０の数は、２つであってもよいし、４つ以上であってもよい。図２に示すソフトウェア配置は説明のために簡易に示しており、実際には、例えば、エージェント機能部１５０と車載通信装置６０の間に管理部１１０が介在してもよいし、任意に改変することができる。
【００４４】
エージェント装置１００の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。
【００４５】
管理部１１０は、ＯＳ（Operating System）やミドルウェアなどのプログラムが実行されることで機能する。
【００４６】
管理部１１０の音響処理部１１２は、エージェントごとに予め設定されているウエイクアップワードを認識するのに適した状態になるように、入力された音に対して音響処理を行う。
【００４７】
エージェントごとＷＵ判定部１１４は、エージェント機能部１５０−１、１５０−２、１５０−３のそれぞれに対応して存在し、エージェントごとに予め定められているウエイクアップワードを認識する。エージェントごとＷＵ判定部１１４は、音響処理が行われた音声（音声ストリーム）から音声の意味を認識する。まず、エージェントごとＷＵ判定部１１４は、音声ストリームにおける音声波形の振幅と零交差に基づいて音声区間を検出する。エージェントごとＷＵ判定部１１４は、混合ガウス分布モデル（ＧＭＭ；Gaussian mixture model)に基づくフレーム単位の音声識別および非音声識別に基づく区間検出を行ってもよい。
【００４８】
次に、エージェントごとＷＵ判定部１１４は、検出した音声区間における音声をテキスト化し、文字情報とする。そして、エージェントごとＷＵ判定部１１４は、テキスト化した文字情報がウエイクアップワードに該当するか否かを判定する。ウエイクアップワードであると判定した場合、エージェントごとＷＵ判定部１１４は、対応するエージェント機能部１５０を起動させる。なお、エージェントごとＷＵ判定部１１４に相当する機能がエージェントサーバ２００に搭載されてもよい。この場合、管理部１１０は、音響処理部１１２によって音響処理が行われた音声ストリームをエージェントサーバ２００に送信し、エージェントサーバ２００がウエイクアップワードであると判定した場合、エージェントサーバ２００からの指示に従ってエージェント機能部１５０が起動する。なお、各エージェント機能部１５０は、常時起動しており且つウエイクアップワードの判定を自ら行うものであってよい。この場合、管理部１１０がエージェントごとＷＵ判定部１１４を備える必要はない。
【００４９】
エージェント機能部１５０は、対応するエージェントサーバ２００と協働してエージェントを出現させ、車両Ｍの乗員の発話に応じて、音声による応答を含むサービスを提供する。エージェント機能部１５０には、車両機器５０を制御する権限が付与されたものが含まれてよい。また、エージェント機能部１５０には、ペアリングアプリ実行部１５６を介して汎用通信装置７０と連携し、エージェントサーバ２００と通信するものであってよい。例えば、エージェント機能部１５０−１には、車両機器５０を制御する権限が付与されている。エージェント機能部１５０−１は、例えば、車両機器５０を制御する場合、車両機器５０の制御に関する情報を制御部１２２に送信し、制御部１２２に車両機器５０を制御させる。エージェント機能部１５０−１は、車載通信装置６０を介してエージェントサーバ２００−１と通信する。エージェント機能部１５０−２は、車載通信装置６０を介してエージェントサーバ２００−２と通信する。エージェント機能部１５０−３は、ペアリングアプリ実行部１５６を介して汎用通信装置７０と連携し、エージェントサーバ２００−３と通信する。
【００５０】
ペアリングアプリ実行部１５６は、例えば、Ｂｌｕｅｔｏｏｔｈ（登録商標）によって汎用通信装置７０とペアリングを行い、エージェント機能部１５０−３と汎用通信装置７０とを接続させる。なお、エージェント機能部１５０−３は、ＵＳＢ（Universal Serial Bus）などを利用した有線通信によって汎用通信装置７０に接続されるようにしてもよい。以下、エージェント機能部１５０−１とエージェントサーバ２００−１が協働して出現させるエージェントをエージェント１、エージェント機能部１５０−２とエージェントサーバ２００−２が協働して出現させるエージェントをエージェント２、エージェント機能部１５０−３とエージェントサーバ２００−３が協働して出現させるエージェントをエージェント３と称する場合がある。
【００５１】
表示制御部１１６は、エージェント機能部１５０による指示に応じて第１ディスプレイ２２または第２ディスプレイ２４に画像を表示させる。以下では、第１ディスプレイ２２を使用するものとする。表示制御部１１６は、一部のエージェント機能部１５０の制御により、例えば、車室内で乗員とのコミュニケーションを行う擬人化されたエージェントの画像（以下、エージェント画像と称する）を生成し、生成したエージェント画像を第１ディスプレイ２２に表示させる。エージェント画像は、例えば、乗員に対して話しかける態様の画像である。エージェント画像は、例えば、少なくとも観者（乗員）によって表情や顔向きが認識される程度の顔画像を含んでよい。例えば、エージェント画像は、顔領域の中に目や鼻に擬したパーツが表されており、顔領域の中のパーツの位置に基づいて表情や顔向きが認識されるものであってよい。また、エージェント画像は、観者によって、立体的に感じられ、三次元空間における頭部画像を含むことでエージェントの顔向きが認識される画像である。エージェント画像は、エージェントの動作や振る舞い、姿勢等が認識され本体（胴体や手足）の画像を含むものであってもよい。また、エージェント画像は、アニメーション画像であってもよい。
【００５２】
音声制御部１１８は、エージェント機能部１５０による指示に応じて、スピーカユニット３０に含まれるスピーカのうち一部または全部に音声を出力させる。音声制御部１１８は、複数のスピーカユニット３０を用いて、エージェント画像の表示位置に対応する位置にエージェント音声の音像を定位させる制御を行ってもよい。エージェント画像の表示位置に対応する位置とは、例えば、エージェント画像がエージェント音声を喋っていると乗員が感じると予測される位置であり、具体的には、エージェント画像の表示位置付近（例えば、２〜３［ｃｍ］以内）の位置である。また、音像が定位するとは、例えば、乗員の左右の耳に伝達される音の大きさが調節されることにより、乗員が感じる音源の空間的な位置が定められることである。
【００５３】
会話状態認識部１２０は、エージェント機能部１５０と会話をしている乗員が、運転者であるか否かを認識する。会話状態認識部１２０は、例えば、複数のマイク１０のそれぞれから取得され、かつ音響処理部１１２によって音響処理が行われた音声データ（複数の音声ストリーム）に基づいて、エージェントと会話を行っているユーザを判定する。会話状態認識部１２０は、どの座席に着座している乗員がエージェントと会話を行っているかを判定する。例えば、会話状態認識部１２０は、運手席に着座した運転者とエージェントが会話をしているか、運転者以外の同乗者がエージェントと会話をしているかを判定する。
【００５４】
例えば、運転席ＤＳに対応したマイク１０Ａと、助手席ＡＳに対応したマイク１０Ｂと、後部座席ＢＳ１に対応したマイク１０Ｃと、後部座席ＢＳ２に対応したマイク１０Ｄとのそれぞれから音声データが取得されたものとする。この場合、会話状態認識部１２０は、４つの音声データのそれぞれから乗員が発話した音声データを抽出する。会話状態認識部１２０は、抽出された４つの音声データを比較し、比較結果に基づいて、エージェントと会話をしている乗員を判定する。
【００５５】
例えば、車内に複数のユーザがそれぞれの座席に着座している状況下で、後部座席ＢＳ１に着座した乗員が発話をしたとする。この場合、後部座席ＢＳ１のユーザに最も近いマイク１０Ｄは、他のマイク１０に比して発話に対応する音を大きな音として収音する蓋然性が高い。会話状態認識部１２０は、例えば、最も発話に対応する音が大きい音として収音されたマイク１０に対応する座席に存在する利用者を、エージェントと会話をしている利用者として判定する。
【００５６】
また、会話状態認識部１２０は、音響処理部１１２によって音声データが取得された複数のマイク１０の中から、最も早く（最も応答速度が良く）音声データが取得されたマイクに対応した座席に存在するユーザを、エージェントと会話をしている乗員と判定してもよい。
【００５７】
例えば、車両機器５０を制御するための音声が利用者によりマイク１０に入力された場合、エージェント機能部１５０は、会話状態認識部１２０の判定結果に基づいて、車両機器５０の制御を指示した利用者を特定することができる。
【００５８】
また、会話状態認識部１２０は、車両機器５０を操作するためのスイッチを操作した乗員を判定する。例えば、会話状態認識部１２０は、乗員認識装置８０により取得された情報に基づいて、スイッチを操作した乗員を判定する。乗員認識装置８０により取得された情報は、乗員がスイッチに対する操作を行ったことを示す情報、およびスイッチに対する操作を行った乗員を示す情報である。例えば、乗員認識装置８０は、例えば、乗員認識装置８０が車室内の様子が撮像された画像に基づいて、乗員の動作を監視し、所定の位置に設けられたスイッチを操作する動作を乗員が行った場合、操作されたスイッチ、およびスイッチを操作した乗員を示す情報を会話状態認識部１２０に提供する。運転席に着座する乗員がスイッチに対して操作を行った場合、会話状態認識部１２０は、乗員認識装置８０から運転席に着座した乗員が所定の位置に設けられたスイッチを操作したことを示す情報を取得し、取得した情報に基づいて、操作されたスイッチと、スイッチを操作した乗員とを判定する。なお、会話状態認識部１２０は、スイッチが操作されるとスイッチが出力信号を取得し、取得した信号を上記の判定に加味してもよい。また、会話状態認識部１２０が、乗員認識装置８０により行われる一部または全部の処理を行ってもよい。
【００５９】
会話状態認識部１２０は、運転者とエージェント機能部１５０とが会話を行っているか否かを認識する。会話状態認識部１２０は、例えば、乗員とエージェントとの会話が開始されたか否かを判定する。また、会話状態認識部１２０は、例えば、乗員とエージェントとの会話が終了したか否かを判定する。例えば、会話状態認識部１２０は、エージェント機能部１５０により開始フラグが提供された場合に、エージェントが会話を開始すると判定し、エージェント機能部１５０により終了フラグが提供された場合に、エージェントが会話を終了すると判定する。また、会話状態認識部１２０は、乗員によって行われる発話、またはエージェントにより行われる発話が、最後に乗員またはエージェントにより発話された時から所定時間経過した場合、会話は終了したと判定してもよい。
【００６０】
制御部１２２は、エージェント機能部１５０−１により提供された情報またはスイッチにより出力された信号に基づいて、車両機器５０を作動させる。
【００６１】
［エージェントサーバ］
図５は、エージェントサーバ２００の構成と、エージェント装置１００の構成の一部とを示す図である。以下、エージェントサーバ２００の構成と共にエージェント機能部１５０等の動作について説明する。ここでは、エージェント装置１００からネットワークＮＷまでの物理的な通信についての説明を省略する。
【００６２】
エージェントサーバ２００は、通信部２１０を備える。通信部２１０は、例えばＮＩＣ（Network Interface Card）などのネットワークインターフェースである。更に、エージェントサーバ２００は、例えば、音声認識部２２０と、自然言語処理部２２２と、対話管理部２２４と、ネットワーク検索部２２６と、応答文生成部２２８とを備える。これらの構成要素は、例えば、ＣＰＵなどのハードウェアプロセッサがプログラム（ソフトウェア）を実行することにより実現される。これらの構成要素のうち一部または全部は、ＬＳＩやＡＳＩＣ、ＦＰＧＡ、ＧＰＵなどのハードウェア（回路部；circuitryを含む）によって実現されてもよいし、ソフトウェアとハードウェアの協働によって実現されてもよい。プログラムは、予めＨＤＤやフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。
【００６３】
エージェントサーバ２００は、記憶部２５０を備える。記憶部２５０は、上記の各種記憶装置により実現される。記憶部２５０には、パーソナルプロファイル２５２、辞書ＤＢ（データベース）２５４、知識ベースＤＢ２５６、応答規則ＤＢ２５８などのデータやプログラムが格納される。
【００６４】
エージェント装置１００において、エージェント機能部１５０は、音声ストリーム、或いは圧縮や符号化などの処理を行った音声ストリームを、エージェントサーバ２００に送信する。エージェント機能部１５０は、ローカル処理（エージェントサーバ２００を介さない処理）が可能な音声コマンドを認識した場合は、音声コマンドで要求された処理を行ってよい。ローカル処理が可能な音声コマンドとは、エージェント装置１００が備える記憶部（不図示）を参照することで回答可能な音声コマンドであったり、エージェント機能部１５０−１の場合は車両機器５０を制御する音声コマンド（例えば、空調装置をオンにするコマンドなど）であったりする。従って、エージェント機能部１５０は、エージェントサーバ２００が備える機能の一部を有してもよい。
【００６５】
エージェント装置１００は、音声ストリームを取得すると、音声認識部２２０が音声認識を行ってテキスト化された文字情報を出力し、自然言語処理部２２２が文字情報に対して辞書ＤＢ２５４を参照しながら意味解釈を行う。辞書ＤＢ２５４は、文字情報に対して抽象化された意味情報が対応付けられたものである。辞書ＤＢ２５４は、同義語や類義語の一覧情報を含んでもよい。音声認識部２２０の処理と、自然言語処理部２２２の処理は、段階が明確に分かれるものではなく、自然言語処理部２２２の処理結果を受けて音声認識部２２０が認識結果を修正するなど、相互に影響し合って行われてよい。
【００６６】
自然言語処理部２２２は、例えば、認識結果として、「今日の天気は」、「天気はどうですか」等の意味が認識された場合、標準文字情報「今日の天気」に置き換えたコマンドを生成する。これにより、リクエストの音声に文字揺らぎがあった場合にも要求にあった対話をし易くすることができる。また、自然言語処理部２２２は、例えば、確率を利用した機械学習処理等の人工知能処理を用いて文字情報の意味を認識したり、認識結果に基づくコマンドを生成したりしてもよい。
【００６７】
対話管理部２２４は、自然言語処理部２２２の処理結果（コマンド）に基づいて、パーソナルプロファイル２５２や知識ベースＤＢ２５６、応答規則ＤＢ２５８を参照しながら車両Ｍの乗員に対する発話の内容を決定する。パーソナルプロファイル２５２は、乗員ごとに保存されている乗員の個人情報、趣味嗜好、過去の対話の履歴などを含む。知識ベースＤＢ２５６は、物事の関係性を規定した情報である。応答規則ＤＢ２５８は、コマンドに対してエージェントが行うべき動作（回答や機器制御の内容など）を規定した情報である。
【００６８】
また、対話管理部２２４は、音声ストリームから得られる特徴情報を用いて、パーソナルプロファイル２５２と照合を行うことで、乗員を特定してもよい。この場合、パーソナルプロファイル２５２には、例えば、音声の特徴情報に、個人情報が対応付けられている。音声の特徴情報とは、例えば、声の高さ、イントネーション、リズム（音の高低のパターン）等の喋り方の特徴や、メル周波数ケプストラム係数（Mel Frequency Cepstrum Coefficients）等による特徴量に関する情報である。音声の特徴情報は、例えば、乗員の初期登録時に所定の単語や文章等を乗員に発声させ、発声させた音声を認識することで得られる情報である。
【００６９】
対話管理部２２４は、コマンドが、ネットワークＮＷを介して検索可能な情報を要求するものである場合、ネットワーク検索部２２６に検索を行わせる。ネットワーク検索部２２６は、ネットワークＮＷを介して各種ウェブサーバ３００にアクセスし、所望の情報を取得する。「ネットワークＮＷを介して検索可能な情報」とは、例えば、車両Ｍの周辺にあるレストランの一般ユーザによる評価結果であったり、その日の車両Ｍの位置に応じた天気予報であったりする。
【００７０】
応答文生成部２２８は、対話管理部２２４により決定された発話の内容が車両Ｍの乗員に伝わるように、応答文を生成し、生成した応答文をエージェント装置１００に送信する。応答文生成部２２８は、乗員がパーソナルプロファイルに登録された乗員であることが特定されている場合に、乗員の名前を呼んだり、乗員の話し方に似せた話し方にした応答文を生成したりしてもよい。
【００７１】
エージェント機能部１５０は、応答文を取得すると、音声合成を行って音声を出力するように音声制御部１１８に指示する。また、エージェント機能部１５０は、音声出力に合わせてエージェントの画像を表示するように表示制御部１１６に指示する。このようにして、仮想的に出現したエージェントが車両Ｍの乗員に応答するエージェント機能が実現される。
【００７２】
［特定機器の制御の概要］
制御部１２２は、車両Ｍの乗員のうち運転者とエージェント機能部１５０とが会話をしている場合において、車室内の音響環境を変化させる特定機器を作動させる操作を運転者とは異なる同乗者が行った場合には、会話の終了後に特定機器を作動させる。この制御を「特定制御」と称する場合がある。
【００７３】
「特定機器」とは、例えば、車室内の音響環境を変化させる可能性が存在する機器である。「車室内の音響環境」とは、例えば、車室内の音の反響度合や反響している音の分布、音の大きさの分布などの音響に関する環境である。「音響環境を変化させる特定機器を作動させる操作」とは、特定機器が稼働または特定機器の稼働状態が変化することにより、特定機器が稼働または特定機器の稼働状態が変化する前の車両内の音響環境が変化する可能性が存在する操作（以下、特定操作）である。
【００７４】
「特定操作」は、例えば、車室内の音響環境をエージェント機能部１５０に対して音が伝わりにくくなる環境に変化させる操作である。特定操作は、例えば、車室内の音を上昇させる操作である。また、「特定操作」は、音声入力による操作であってもよいし、所定のスイッチに対する操作であってもよい。特定機器とは、例えば、空調装置、パワーウインドウ、またはオーディオ等を含む。
【００７５】
［フローチャート］
図６は、エージェント装置１００により実行される処理の流れの一例を示すフローチャートである。本処理は、エージェント機能部１５０−１が起動している際に行われてもよいし、複数のエージェント機能部１５０のうち、一以上のエージェント機能部１５０が起動している場合に行われてもよい。
【００７６】
まず、制御部１２２が、特定機器の特定操作がされたか否かを判定する（ステップＳ１００）。例えば、スイッチを用いた特定操作が行われた場合、制御部１２２は、スイッチに対する特定操作に応じて送信された信号に基づいて、特定操作が行われたと判定する。例えば、音声の入力による特定操作が行われた場合、制御部１２２は、エージェント機能部１５０により送信された情報に基づいて特定操作が行われたと判定する。
【００７７】
会話状態認識部１２０は、操作が同乗者による操作であるか否かを判定する（ステップＳ１０２）。同乗者による操作でないと判定された場合（運転者の操作である場合）、ステップＳ１１０の処理に進む。同乗者とエージェントとが会話中に、音響環境を変化させる特定機器を運転者が作動させようとする場合には、会話の終了に関係なく特定機器が作動する。
【００７８】
同乗者による操作であると判定された場合、会話状態認識部１２０は、同乗者による操作が特定操作であるか否かを判定する（ステップＳ１０４）。同乗者による操作が特定操作でない場合、ステップＳ１１０の処理に進む。
【００７９】
同乗者による操作が特定操作である場合、会話状態認識部１２０は、乗員とエージェントとが会話を行っているか否かを判定する（ステップＳ１０６）。乗員がエージェントと会話を行っていない場合、ステップＳ１１０の処理に進む。
【００８０】
乗員がエージェントと会話を行っている場合、会話状態認識部１２０は、乗員とエージェントとの会話が終了したか否かを判定する（ステップＳ１０８）。乗員とエージェントとの会話が終了した場合、制御部１２２が、ステップＳ１００の操作に応じた制御を操作対象に対して実行する（ステップＳ１１０）。これにより本フローチャートの処理が終了する。
【００８１】
上述した処理により、制御部１２２が、運転者が特定操作を行った場合、乗員とエージェントとの会話の有無に関わらず特定操作に応じた制御を実行し、運転者とエージェントとが会話を行っている場合、乗員とエージェントとの会話が終了した後に特定操作に応じた制御を実行する。
【００８２】
例えば、運転者が、車両の制御に関する指示を含む発話をエージェントに対して行っている場合、この会話が妨げられると、車両の制御に影響を与える場合がある。これに対して、本実施形態では、運転者とエージェントとの会話に影響を与えないように特定機器が作動する。この結果、運転者にとって好ましい態様でパワーウインドウの制御が行われる。
【００８３】
以下、パワーウインドウ、空調装置、およびオーディオが制御される場合について説明する。
【００８４】
［パワーウインドウの制御］
図７は、運転者によって行われる特定操作と、パワーウインドウの作動のタイミングとの一例を示す図である。図７の横軸は時間を示している。図７の縦軸は（Ａ）〜（Ｃ）に関する事項を示している。（Ａ）エージェントと運転者と（またはエージェントと同乗者と）が会話中であるか、または会話していない状態であるかを示している。（Ｂ）運転者によって特定操作が行われたか、行われていないかを示している。図７における特定操作は、パワーウインドウにウインドウを自動（ワンタッチ）で全開にさせる操作である。例えば、運転者が、音声で「ウインドウを全開にして」とマイク１０に入力する操作である。（Ｃ１）パワーウインドウが作動しているか、作動していないかを示している。
【００８５】
時刻Ｔ１以前からエージェントと運転者との会話が行われているものとする。時刻Ｔ１で、特定操作が行われると、時刻Ｔ＋１でパワーウインドウが作動して、その後、ウインドウが全開となる。すなわち、会話の終了に関係なくパワーウインドウ４１が開状態または全開状態に近くように作動する。
【００８６】
このように、運転者とエージェントとが会話を行っている場合、運転者によって行われるパワーウインドウに対する特定操作は制限されない。運転者にとって好ましい態様でパワーウインドウの制御が行われる。
【００８７】
図８は、同乗者によって行われる特定操作と、パワーウインドウの作動のタイミングとの一例を示す図である。図７と同様の説明については省略する。図７の縦軸は（ａ）〜（ｃ）に関する事項を示している。（ａ）エージェントと運転者とが会話中であるか、または会話していない状態であるかを示している。（ｂ）同乗者によって特定操作が行われたか、行われていないかを示している。図８における特定操作は、図７の特定操作と同様である。（ｃ１）は、図７の（Ｃ１）と同様である。
【００８８】
時刻Ｔ１で特定操作が行われると、会話が終了した直後である時刻Ｔ１＋２で、パワーウインドウが作動して、その後、ウインドウが全開となる。すなわち、会話の終了後にパワーウインドウ４１が開状態または全開状態に近くように作動する。
【００８９】
このように、運転者とエージェントとが会話を行っている場合、運転者とエージェントとの会話の終了後にパワーウインドウが制御される。すなわち、運転者にとって好ましい態様でパワーウインドウの制御が行われる。
【００９０】
［空調装置の制御（その１）］
図９は、運転者によって行われる特定操作と、空調装置の作動（起動）のタイミングとの一例を示す図である。図７と同様の説明については省略する。図９における特定操作は、空調装置を作動させる操作（オン状態にする操作）である。例えば、運転者が、音声で「冷房をオンにして」、または「車室内が暑い」とマイク１０に入力する操作である。（Ｃ２）空調装置が作動しているか、作動していないかを示している。
【００９１】
時刻Ｔ２以前からエージェントと運転者との会話が行われているものとする。時刻Ｔ２で特定操作が行われると、時刻Ｔ２＋１で空調装置が作動を開始する。すなわち、会話の終了に関係なく空調装置４２が稼働する。
【００９２】
図１０は、同乗者によって行われる特定操作と、空調装置の作動のタイミングの一例を示す図である。図９と同様の説明については省略する。図１０における特定操作は、図９の特定操作と同様である。（ｃ２）は、図９の（Ｃ２）と同様である。
【００９３】
時刻Ｔ２で特定操作が行われると、会話が終了した直後である時刻Ｔ２＋２で、空調装置が作動する。すなわち、会話の終了後に空調装置４２が稼働する。
【００９４】
このように、運転者とエージェントとが会話を行っている場合、運転者によって行われる空調装置に対する特定操作は制限されず、同乗者によって行われる空調装置に対する特定操作は制限され、運転者とエージェントとの会話の終了後に空調装置が制御される。すなわち、運転者にとって好ましい態様で空調装置の制御が行われる。
【００９５】
［空調装置の制御（その２）］
図１１は、運転者によって行われる特定操作と、空調装置の作動のタイミング（出力度合を上昇させるタイミング）との一例を示す図である。図９と同様の説明については省略する。図１１における特定操作は、空調装置を作動させている状態で空調装置の出力度合を上昇させる操作である。例えば、運転者が、音声で「冷房の設定温度を○度下げて」、または「暖房の温度を△度上げて」とマイク１０に入力する操作である。（Ｃ３）空調装置が作動しているか、作動していないかを示している。また、（Ｃ３）における帯の太さは出力度合の大きさを示している。帯が太いほど出力度合は大きい。
【００９６】
時刻Ｔ３以前からエージェントと運転者との会話が行われているものとする。時刻Ｔ３で特定操作が行われると、時刻Ｔ３＋１で空調装置の出力度合が上昇する。すなわち、会話の終了に関係なく空調装置４２の出力度合が上昇する。
【００９７】
図１２は、同乗者によって行われる特定操作と、空調装置の作動のタイミング（出力度合を上昇させるタイミング）との一例を示す図である。図１１と同様の説明については省略する。図１２における特定操作は、図１１の特定操作と同様である。（ｃ３）は、図１１の（Ｃ３）と同様である。
【００９８】
時刻Ｔ３で特定操作が行われると、会話が終了した直後である時刻Ｔ３＋２で、空調装置の出力度合が上昇する。すなわち、会話の終了後に空調装置４２の出力度合が上昇する。
【００９９】
このように、運転者とエージェントとが会話を行っている場合、運転者によって行われる空調装置に対する特定操作は制限されず、同乗者によって行われる空調装置に対する特定操作は制限され、運転者とエージェントとの会話の終了後に空調装置が制御される。すなわち、運転者にとって好ましい態様で空調装置の制御が行われる。
【０１００】
［オーディオの制御（その１）］
図１３は、運転者によって行われる特定操作と、オーディオの作動のタイミングとの一例を示す図である。図７と同様の説明については省略する。図１３における特定操作は、オーディオを作動させて音楽を車室内に流す操作である。例えば、運転者が、音声で「オーディオで音楽を流して」とマイク１０に入力する操作である。（Ｃ４）オーディオが作動して音楽を流しているか、音楽を流していないかを示している。
【０１０１】
時刻Ｔ４以前からエージェントと運転者との会話が行われているものとする。時刻Ｔ４で特定操作が行われると、時刻Ｔ４＋１でオーディオが作動して音楽を車室内に流す。すなわち、会話の終了に関係なくオーディオ４３が稼働して音を出力する。
【０１０２】
図１４は、同乗者によって行われる特定操作と、オーディオの作動のタイミングとの一例を示す図である。図１１と同様の説明については省略する。図１４における特定操作は、図１３の特定操作と同様である。（ｃ４）は、図１３の（Ｃ４）と同様である。
【０１０３】
時刻Ｔ４で特定操作が行われると、会話が終了した直後である時刻Ｔ４＋２で、オーディオが作動して車室内に音楽が流れる。すなわち、会話の終了後にオーディオ４３が稼働して音を出力する。
【０１０４】
このように、運転者とエージェントとが会話を行っている場合、運転者によって行われるオーディオに対する特定操作は制限されず、同乗者によって行われるオーディオに対する特定操作は制限され、運転者とエージェントとの会話の終了後にオーディオが作動する。すなわち、運転者にとって好ましい態様でオーディオの制御が行われる。
【０１０５】
［オーディオの制御（その２）］
図１５は、運転者によって行われる特定操作と、オーディオの作動のタイミング（出力度合を上昇させるタイミング）との一例を示す図である。図１３と同様の説明については省略する。図１５における特定操作は、オーディオを作動させている状態でオーディオが出力する音楽の音を上昇させる操作である。例えば、運転者が、音声で「音楽の音を大きくして」とマイク１０に入力する操作である。（Ｃ５）オーディオが作動しているか、作動していないかを示している。また、（Ｃ５）における帯の太さはオーディオが出力する音の大きさを示している。帯が太いほど出力度合は大きい。
【０１０６】
時刻Ｔ５以前からエージェントと運転者との会話が行われているものとする。時刻Ｔ５で特定操作が行われると、時刻Ｔ５＋１でオーディオが出力する音が大きくなる。すなわち、会話の終了に関係なくオーディオは、出力度合を上昇させて、より大きい音を出す。
【０１０７】
図１６は、同乗者によって行われる特定操作と、オーディオの作動のタイミング（出力度合を上昇させるタイミング）との一例を示す図である。図１５と同様の説明については省略する。図１６における特定操作は、図１５の特定操作と同様である。（ｃ５）は、図１５の（Ｃ５）と同様である。
【０１０８】
時刻Ｔ５で特定操作が行われると、会話が終了した直後である時刻Ｔ５＋２で、オーディオが出力する音が大きくなる。すなわち、会話の終了後、オーディオ４３が出力度合を上昇させて、より大きい音を出す。
【０１０９】
このように、運転者とエージェントとが会話を行っている場合、運転者によって行われるオーディオに対する特定操作は制限されず、同乗者によって行われるオーディオに対する特定操作は制限され、運転者とエージェントとの会話の終了後にオーディオが制御される。すなわち、運転者にとって好ましい態様でオーディオの制御が行われる。
【０１１０】
［オーディオの制御（その３）］
図１７は、運転者によって行われる特定操作と、オーディオの作動のタイミング（出力度合を上昇させるタイミング）との一例を示す図である。図１６と同様の説明については省略する。時刻Ｔ５で特定操作が行われると、時刻Ｔ５＋２でオーディオが出力する音が大きくなる。その後、時刻Ｔ５＋３でエージェントと運転者との会話が開始されると、時刻Ｔ５＋３の直後に、オーディオにより出力される音の大きさが、時刻Ｔ５＋２〜Ｔ５＋３までの音の大きさよりも小さくなる。例えば、時刻Ｔ５＋３直後にオーディオにより出力される音の大きさは、エージェントが運転者の発話の内容を精度よく認識することができるような音の大きさである。また、時刻Ｔ５＋３直後にオーディオにより出力される音の大きさは、乗員がエージェントにより提供される音が認識できるような音の大きさである。
【０１１１】
このように、運転者とエージェントとが会話を行っている場合、同乗者によって行われるオーディオに対する特定操作は制限され、運転者とエージェントとが会話を行っていない場合、オーディオの出力度合が上昇する。すなわち、運転者にとって好ましい態様でオーディオの制御が行われる。
【０１１２】
図１７の例では、オーディオに対する特定操作が行われるものとして説明したが、これに代えて（加えて）、ウインドウに対する特定操作、または空調装置に対する特定操作が行われた場合においても、図１７に示すような処理が行われてもよい。例えば、ウインドウが作動している場合において、会話が開始された直後に、ウインドウの動作が停止してもよい。また、例えば、空調装置が閾値以上の出力度合で作動している場合において、会話が開始された直後に、空調装置が閾値未満の出力度合で作動してもよい。
【０１１３】
なお、上記のように特定制御が行われる場合、特定操作を行った運転者以外の特定乗員が認識できるような態様（運転者が認識できないような態様、または運転者とエージェントとの会話を妨げないような態様）で、特定操作が会話終了後に行われることを示す情報が、特定操作を行った特定乗員に提供されてもよい。例えば、エージェント機能部１５０は、特定操作を行った特定乗員に対応するスピーカ（特定操作を行った特定乗員から最も近くに設けられたスピーカ）に、特定操作に応じた制御は会話終了後に行われることを示す情報を、特定乗員に提供してもよい。
【０１１４】
また、車室内に座席ごとに表示部が設けられている場合、特定操作を行った特定乗員が着座する座席に設けられた表示部に、会話終了後に特定操作に応じた制御が行われることを示す情報が表示されてもよい。
【０１１５】
また、運転者は、特定制御を行うか否かを設定してもよい。例えば、運転者が、特定制御が行わないと車両に対して設定した場合、特定制御は行われなくてもよい。また、運転者は、所定の座席に着座した乗員が行う特定操作に対して特定制御は実行されないように設定してもよい。
【０１１６】
以上説明した第１実施形態によれば、制御部１２２が、運転者とエージェント機能部１５０とが会話中に、車室内の音響環境を変化させる特定機器を同乗者が作動させる操作を行った場合には、会話の終了後に特定機器を作動させることにより、利用者にとって好ましい態様で車両に搭載された機器の制御が行われる。
【０１１７】
＜第１実施形態の変形例（１）＞
第１実施形態の変形例では、エージェント機能部１５０―１が、会話状態認識部１５２と、制御部１５４とを備える。また、管理部１１０Ａにおいて、会話状態認識部１２０と、制御部１２２とが省略される。以下、第１実施形態の車両Ｍとの相違点について説明する。
【０１１８】
図１８は、第１実施形態の変形例の車両Ｍ１の構成の一例を示す図である。会話状態認識部１５２と、会話状態認識部１２０とは同様の機能を有し、制御部１５２と、制御部１２２とは同様の機能を有する。例えば、制御部１５４は、運転者とエージェント機能部１５０とが会話をしている場合において、車室内の音響環境を変化させる特定機器を作動させる操作を運転者とは異なる同乗者が行った場合には、会話の終了後に特定機器を作動させる。
【０１１９】
以上説明した第１実施形態の変形例によれば、第１実施形態と同様の効果を奏する。
【０１２０】
＜第１実施形態の変形例（２）＞
会話状態認識部１５２は、エージェントサーバ２００または他のサーバ装置にエージェント機能部１５０と会話をしている乗員が、運転者であるか否かの認識を依頼してもよい。会話状態認識部１２０は、運転者とエージェント機能部１５０とが会話を行っているか否かの認識を依頼してもよい。この場合、エージェントサーバまたは他のサーバ装置は、第１実施形態で説明した会話状態認識部１２０が有する機能と同様の機能を有する。運転者であるか否かの認識の依頼または運転者とエージェント機能部１５０とが会話を行っているか否かの認識の依頼を、「認識依頼」と称する場合がある。
【０１２１】
図１９は、エージェント装置１００とエージェントサーバ２００とにより実行される処理の一例を示すフローチャートである。特定操作が音声で行われた場合の処理について説明する。また、図１９のステップＳ１００、ステップＳ１０２〜Ｓ１１０の処理は、図６の処理と同様の説明のため、説明を省略する。
【０１２２】
まず、会話状態認識部１２０は、音声で特定操作が行われると、取得した音声（または発話がされていない場合は車室内の環境音）に基づく音声データをエージェントサーバ２００に送信する（ステップＳ１０１）。次に、エージェントサーバ２００は、ステップＳ１０１で送信された音声データを解析して、認識依頼に応じた認識結果を導出し、導出した認識結果をエージェント装置１００に送信する（ステップＳ２００）。次に、エージェント装置１００が、ステップＳ２００で送信された認識結果に基づいて、以降の処理を行う。
【０１２３】
以上説明した第２実施形態によれば、エージェント装置１００が、特定操作の操作主体または会話が終了したか否かの判定をエージェントサーバ２００に依頼し、エージェントサーバ２００により提供された認識結果に基づいて、特性制御を実行することにより、利用者にとって好ましい態様で車両に搭載された機器の制御が実現される。
【０１２４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１２５】
１‥エージェントシステム、２０‥表示・操作装置、３０‥スピーカユニット、１００‥エージェント装置、１１０‥管理部、１１３‥取得部、１２０‥会話状態認識部、１２２‥制御部、１５０‥エージェント機能部、１５２‥会話状態認識部、１５４‥制御部、２００‥エージェントサーバ
【図１】
2020157854.tif 000003
【図２】
2020157854.tif 000004
【図３】
2020157854.tif 000005
【図４】
2020157854.tif 000006
【図５】
2020157854.tif 000007
【図６】
2020157854.tif 000008
【図７】
2020157854.tif 000009
【図８】
2020157854.tif 000010
【図９】
2020157854.tif 000011
【図１０】
2020157854.tif 000012
【図１１】
2020157854.tif 000013
【図１２】
2020157854.tif 000014
【図１３】
2020157854.tif 000015
【図１４】
2020157854.tif 000016
【図１５】
2020157854.tif 000017
【図１６】
2020157854.tif 000018
【図１７】
2020157854.tif 000019
【図１８】
2020157854.tif 000020
【図１９】
2020157854.tif 000021